(57)【要約】【解決手段】腕時計ケースは、ミドルケース（１）と、ミドルケース（１）に固設されねじ部を具備するチューブ（３、２３）と、チューブ（３、２３）に螺合されたねじ部を具備する制御竜頭（Ｃ）を備え、制御竜頭（Ｃ）が、外部から視認可能な識別マーク（Ｓ）を有する外側部分（１０、２０）と、外側部分（１０、２０）の内側に収納される内側部分（２、２４）と、前記チューブの長手方向軸を基準として決められた角度位置に前記外側部分（１０、２０）および前記内側部分（２、２４）を軸方向において保持するための締め付け手段（１１、２５）とを含む。内側部分（２、２４）は第１角度割り出し手段（２ａ、２４ａ）を含み、外側部分（１０、２０）は第２角度割り出し手段（１０ａ、２０ａ）を含み、これらの割り出し手段は軸方向に相互に嵌合するよう構成される。【選択図】図１
2013525802.tif 000002
【特許請求の範囲】
【請求項１】
ミドルケース（１）と、
前記ミドルケース（１）に固設されねじ部を具備するチューブ（３、２３）と、
前記チューブ（３、２３）のねじ部に螺合できるように成されたねじ部を具備する竜頭（Ｃ）と、
外部から視認可能な識別マーク（Ｓ）を有する外側部分（１０、２０）と、外側部分（１０、２０）の内側に収納され前記チューブ（３、２３）のねじ部に螺合できるように成された前記ねじ部を具備する内側部分（２、２４）とを含む竜頭（Ｃ）であって、前記部分のうちの一方が、駆動ステム（１２）、特に巻き芯への結合手段（５、７）を含むような竜頭と、
前記チューブの長手方向軸を基準として決められた角度位置に前記外側部分（１０、２０）および前記内側部分（２、２４）を保持するための締め付け手段（１１、２５）とを含む腕時計ケースにおいて、
前記内側部分（２、２４）が第１角度割り出し手段（２ａ、２４ａ）を含み、前記外側部分（１０、２０）が第２角度割り出し手段（１０ａ、２０ａ）を含み、これらの割り出し手段が、内側部分（２、２４）と外側部分（１０、２０）との間の相対軸方向移動により軸方向に相互に嵌合するよう構成され、これらの割り出し手段が前記締め付け手段により嵌合された状態に維持されることを特徴とする腕時計ケース。
【請求項２】
前記割り出し手段が、前記チューブの長手方向軸と同軸であって、相補形セレーションまたはスプラインを具備し、それぞれ前記外側部分（１０、２０）、前記内側部分（２、２４）に固設された２つの円形表面を含む、請求項１に記載の腕時計ケース。
【請求項３】
前記締め付け手段が、竜頭の前記部分のうちの一方に設けられた対応するねじ部（１０ｃ、２０ｃ）と噛合するねじ部（１１ａ、２５ａ）と、竜頭の前記部分のうちの他方の軸方向制止端（２ｅ、２４ｅ）を押圧する軸方向当たり部分（１１ｂ、２５ｂ）を有するリング（１１、２５）を含む、請求項１から２のいずれか一項に記載の腕時計ケース。
【請求項４】
前記チューブ（３、２３）上の竜頭（Ｃ）の螺合位置が、前記チューブ（３、２３）の長手方向軸に対し直角をなす２つの面（２ｃ、３ｂ；２３ｂ、２４ｃ）の剛接触によって画定される、請求項１から３のいずれか一項に記載の腕時計ケース。
【請求項５】
前記外側部分（１０）および内側部分（２）がそれぞれ底部（２ｂ、１０ｂ）と側壁を有し、内側部分（２）の側壁（２ｈ）の内面がチューブ（３）のねじ部（３ａ）と噛合するねじ部（２ｄ）を有し、外側部分（１０）の側壁の内面が、前記割り出し手段（１０ａ）、ならびに前記側壁の開端と前記割り出し手段（１０ａ）との間に位置するねじ部（１０ｃ）を有し、このねじ部（１０ｃ）が前記締め付けリング（１１）の外側ねじ部（１１ａ）に噛合し、このリング内部縁が内側部分の側壁の軸方向制止表面に軸方向に支持された軸方向当たり部（１１ｂ）を有し、前記内側部分の底部が、駆動ステム（１２）への前記結合手段（５、７）を含む環状スリーブ（２ｉ）に固設される、請求項３または４に記載の腕時計ケース。
【請求項６】
内側部分（２）が、環状パッキン（１３）が位置される環状ハウジング（２ｆ）を有し、この環状ハウジングは円錐表面（３ｄ）を終端とする前記チューブ（３）の外面により内側で制限される、請求項５に記載の腕時計ケース。
【請求項７】
前記外側部分（２０）の底部が、駆動ステム（１２）への前記結合手段（１５、１７）を含む環状スリーブ（２０ｈ）に固設された底部を含み、この環状スリーブ（２０ｈ）の外面が、前記締め付け装置（２５）が螺合されるねじ部（２０ｃ）を有し、前記内側部分（２４）が円筒形リングの（２４）の形状を有し、円筒形リングの内面が前記締め付け装置（２５）の当たり面（２５ｂ）と接触している軸方向制止面（２４ｅ）を有し、前記円筒形リングの内面が前記チューブ（２３）のねじ部（２３ａ）と螺合するねじ部（２４ｄ）を有し、この円筒形リング（２４）の外面が、前記外側部分（２０）の底部の外周に固設された側壁の内面上に設けられた割り出し手段（２０ａ）と噛合する前記割り出し手段（２４ａ）を含む、請求項１から３のいずれか一項に記載の腕時計ケース。
【請求項８】
前記締め付け手段（１１、２５）が、締め付け工具を前記締め付け手段（１１、２５）と噛合状態にすることを可能にするための手段（１１ｃ、２５ｃ）を含む、請求項３に記載の腕時計ケース。
【発明の詳細な説明】
【技術分野】
【０００１】
本発明は、ミドルケースと、ミドルケースに固設されねじ部を具備するチューブと、前記チューブのねじ部に螺合できるように成されたねじ部を具備する制御竜頭とを備える腕時計ケースにおいて、制御竜頭が、外部から視認可能な識別マークを有する外側部分と、外側の部分の内側に収納されチューブのねじ部に螺合できるように成された前記ねじ部を具備する内側部分とを含み、前記外側部分と内側部分のうちの一方が、駆動ステム、特に巻き芯への結合手段と、前記チューブの長手方向軸を基準として決められた角度位置に前記外側部分および前記内側部分を軸方向において保持するための締め付け手段とを含む腕時計ケースに関する。
【背景技術】
【０００２】
腕時計ケースに螺合させる竜頭の製造および組み立てはよく知られている。
【０００３】
しかしながら、竜頭の外側部分の外面が識別マークを有する時には、審美上の理由から、識別マークが、竜頭が螺合される腕時計ケースのチューブの長手方向軸を基準として、確実に決められた角度方向にあることが重要である。そうしないと識別マークの角度位置がランダムになる。
【０００４】
上で言及したタイプの腕時計ケースは特許文献１において既に提案されている。この文献においては、外側部分の内表面が円錐形表面を備え、竜頭の内部要素が第２の相補円錐台形表面を有する。識別マークが所望する角度位置にある相対的角度方向において、２つの円錐台形表面を軸方向に相互に締め付けるのには、弾性締め付け手段が用いられる。
【０００５】
この方法による場合、２つの円錐台形表面の円錐がほぼ同一であることが必要である。円錐度の違いが過大だと、締め付け後の竜頭の外側部分および内側部分の固定を保証することできなくなり、外側部分および内側部分の相対的角度変位をきたすリスクが発生する。また、竜頭の底部の内面と竜頭が螺入されるチューブの端部との間には平面パッキンが挿入される。このパッキンの圧縮量は竜頭の螺入度合によって異なるので、竜頭の角度方向の精度は著しく制限される。
【０００６】
特許文献２は、螺入された竜頭と、竜頭の内部環状溝内に位置決めされ内部ねじを具備するリングと、リングの内部ねじを受け入れるように成されたねじ付き外部区間を備える中間チューブとを含む腕時計ケースについて記載している。
【０００７】
リングの内部ねじは、竜頭の外面上に位置する識別マークを基準に割り出されており、中間チューブは、ナットを用いて、ケースに対して角度方向付けかつ固定できるような方法で、ケースに固定されている。
【０００８】
この解決方法は、産業面で実施するのはかなり困難である。というのも、把握領域がなく、腕時計ケース内部の空間が限られているために、所定の場所を完全に維持するのは問題があるのに、ナットをブロックすることで締め上げトルクを生じるからである。さらに、この解決方法は型板、およびリングの内部ねじを割り出しするためのカメラを必要とし、かつ溶接作業を伴う。
【０００９】
特許文献３は、外面上に、識別マークの土台となり、弾性を持つ制動手段を用いることで角度的に方向付け可能であるはめ込まれた装飾パーツを有する竜頭について記載している。
【００１０】
この解決方法では、満足できる美しさを得ることができない。というのも、竜頭と装飾パーツとの結合が見てわかる状態のままだからである。さらに、装飾パーツは、弾性のある制動方法を用いることで、偶発的に変位する可能性がある。
【００１１】
特許文献４は、腕時計ケースのミドルケース内では螺合されていないが、形状記憶材料の相を変化させることができる温度の変化によるリングの一時的な変形によって、ミドルケースを基準にして、決められた角度に応じて竜頭を角度上方向付けるために、竜頭とミドルケースとの間に遊びを作り出すことを可能とする形状記憶合金製の変形可能なリング内では螺合されるチューブの、螺入された竜頭について記載している。
【００１２】
この解決方法は、形状記憶材料の位相の変化により比較的大きな温度差が生じるため、実施には慎重さが必要であり、またこの材質はたとえば金または白金のような貴金属と組み合わせる場合、酸化耐性を有さなければならない。最後にこの方法は、たとえば時計が直射日光にまたはガラス越しの日光に放置されたり、あるいは０℃よりはるかに低い温度などの極端な温度にさらされたりした時、竜頭の２つの部分が分離するというリスクを有する。特許文献５は、ミドルケースに固定されたチューブに固設されたねじ付きリングに螺合された腕時計ケースの竜頭について記載している。このねじ付きリングは回動可能であり、決められた位置にそのねじ部を調節するよう回転され、その後、ナットのようなロック装置によりロックされる。こうしてねじ付きリングのねじ部の位置を調節することにより、竜頭の最終的な向きを決定することができる。
【００１３】
しかしながらこの方法では正確な向きを得ることができず、またリングをロック装置から解放し、リングの向きを決め、リングが回転しないようにしてリングをロックできるようにするための工具が必要である。
【００１４】
特許文献６は３つのチューブを有するねじ付き竜頭について記載しているが、第１チューブは竜頭に結合され第２チューブに螺合され、第３チューブは第２チューブを受け入れるよう配設され、第２チューブおよび第３チューブは割り出し手段を含む。
【００１５】
第３チューブは、内部周囲上に設けられ第２チューブの歯付き竜頭と協動するように配設された内部歯を含む。第２チューブおよび第３チューブはリングにより移動がロックされた状態を維持し、第１チューブに結合された竜頭が螺合される方向付け可能ねじ部を有するサブアセンブリーを形成する。
【００１６】
角度上の向きは最終的に固定されるが、それは第２チューブおよび第３チューブ上にある歯の数に直接関連し、これらのチューブが小径であるため割り出し位置数は著しく制限される。またこの方法は、３つのチューブを必要とし、したがって実施が困難である。
【先行技術文献】
【特許文献】
【００１７】
【特許文献１】欧州特許第１７０１２２５号明細書
【特許文献２】欧州特許第１１５１３５７号明細書
【特許文献３】欧州特許第１４１１４０１号明細書
【特許文献４】欧州特許第１１２４１６７号明細書
【特許文献５】欧州特許第１７２７００５号明細書
【特許文献６】欧州特許第２１８２４１７号明細書
【特許文献７】欧州特許第０５５６１５５号明細書
【特許文献８】スイス国特許第６８６５９６号明細書
【発明の概要】
【発明が解決しようとする課題】
【００１８】
本発明の目的は、上で述べた先行技術による解決方法の欠点を少なくとも部分的に解消することである。
【課題を解決するための手段】
【００１９】
この目的のため、本発明は上で説明した種類であってかつ請求項１に記載の腕時計ケースを対象とする。
【００２０】
添付の図面は、本発明が対象とする、螺入された竜頭を有する腕時計ケースの２つの実施形態、ならびに第１実施形態の変形形態を例として略図で示したものである。
【図面の簡単な説明】
【００２１】
【図１】第１実施形態による、巻き上げ機構の軸を通る半径方向における腕時計ケースの側の部分断面図である。
【図２】第１実施形態の巻き上げ竜頭の展開斜視図である。
【図３】第１実施形態の変形形態を示す図である。
【図４】第１実施形態の別の変形形態を示す図である。
【図５】本発明の第２実施形態による、巻き上げ機構の軸を通る半径方向における腕時計の側の部分断面図である。
【図６】第２実施形態の巻き上げ竜頭の展開斜視図である。
【発明を実施するための形態】
【００２２】
竜頭Ｃは、その周囲に円形側壁を有する底部２ｂを含む内側部分２を含む。この内側部分は、外部から視認可能な識別マークＳを有する外側部分１０の軸方向内側に収納される。このマークＳは、いったん竜頭Ｃがこのチューブに螺合されると、その竜頭Ｃの位置に応じて、チューブ３の長手方向軸の周囲においてある角度位置を占める。
【００２３】
図１から図４に示す第１実施形態においては、内側部分２は、チューブ３のねじ部３ａに内側部分２を螺合するのに用いられるねじ部２ｄを含み、チューブ自体も腕時計ケースのミドルケース１の半径方向通路１ａに螺合または固設される。ミドルケース１とチューブ３との間の結合はパッキン４により防水化される。
【００２４】
竜頭Ｃの内側部分２は、巻き芯１２上に設けられた相補多角形結合要素７と噛合するための多角形開口部を有する結合リング５をその内部端に支承する管状スリーブ２ｉを含む。
【００２５】
スリーブ２ｉの中にコイルばね６が配設される。コイルばねは第一に管状スリーブ２ｉの底部に、第二に巻き芯１２に固設された当たり面１２ａとに載架する。
【００２６】
内側部分２は、チューブ３の側面上に設けられたねじ部３ａに竜頭Ｃを螺合するのに用いられる管状スリープ２ｉを取り囲む側壁２ｈの内面上に設けられるねじ部２ｄも含む。
【００２７】
本発明を示す各図において、巻き芯はクラッチ位置で示してあり、巻き上げ竜頭Ｃは螺合位置で示してある。実際には、巻き上げ竜頭Ｃがチューブ３に螺合されると、竜頭は軸方向に移動するが、巻き芯１２は移動しない。その結果、クラッチリング５が竜頭Ｃとともに軸方向に移動し、したがってクラッチリングは、竜頭Ｃの底部と巻き芯の当たり部１２ａとの間のコイルばね６を圧縮しながら、結合要素７から分離する。したがって巻き上げ竜頭Ｃは、あたかも腕時計ケースの内部において腕時計のムーブメントがないかのように表示されるが、このことは本発明を理解するうえで問題にはならない。
【００２８】
リング５に固設された内側部分２と、コイルばね６と、多角形要素を有する巻き芯１２は、２つのパッキンＯリング８および９が内部にあるチューブ３の中に挿入された時、サブアセンブリーを構成する。このサブアセンブリーは既知であり、特許文献７および特許文献８に記載がある。
【００２９】
竜頭Ｃの内側部分２は、側壁２ｈの外側円形側面上に設けられたマイクロセレーションすなわちスプライン２ａを含む。竜頭Ｃの外側部分１０は、竜頭Ｃの内側部分２が収納された側壁の内面内に設けられた相補形セレーションすなわちスプライン１０ａを含む。これらの相補形セレーションすなわちスプラインは、チューブ３の長手方向軸の周囲における角度割り出し手段となる。
【００３０】
竜頭Ｃの外側部分１０の側壁の内面は、その開口部とセレーションすなわちスプライン１０ａの間に位置するねじ部１０ｃも有し、このねじ部には、締め付けリング１１の周囲に設けられたねじ部１１ａが螺合される。この締め付けリング１１の内壁は、制止端の役割を果たす内側部分２の側壁２ｈの前端２ｅと噛合するように形成された軸方向当たり面１１ｂを含む。
【００３１】
リング１１の螺合を可能にするために、リングは、把握手段、ここではスプライン１１ｃをその内面に含み、竜頭の外側部分１０は、他の手段、ここではスプライン１０ｄをその外壁に含むので、外側部分１０内に締め付けリングを螺合するのに適する工具と噛合することができるようになり、最終的に内側部分２の底部２ｂは外側部分は外側部分の底部１０ｂに当たる。
【００３２】
締め付けリング１１が螺合されるトルクは充分に高いのでリングが緩むことはなく、内側部分２は軸方向への回動をロックされた状態を維持し、その結果、割り出しセレーションすなわちスプライン２ａ、１０ａの回動のロックが恒久化される。
【００３３】
螺入された竜頭Ｃの第１実施形態の変形形態を図３に示す。
【００３４】
この変形形態は、本質的に、内側部分２がチューブ３の外面３ｃと半径方向において接触するようになるパッキンＯリング１３を収納するように成された内部環状ハウジング２ｆを含むという点で、図１および図２の実施形態と異なる。この外面３は、竜頭Ｃの螺合の際、パッキンＯリング１３が漸次変形することができるよう、円錐形部分３ｄを終端とする。チューブ３は、相補形環状継手１４を収納するための追加的環状ハウジングを具備する。
【００３５】
図４に示す第１実施形態の別の変形形態においては、竜頭Ｃは小径化するよう設計されている。
【００３６】
この目的のため、内側部分２の底部に環状凹部２ｇが設けられる。この環状凹部２ｇは、Ｏリング９が圧縮された時、パッキンＯリングの延伸が可能になるように成されている。この環状凹部２ｇの幾何学的形状により、竜頭Ｃの体積を減らしつつ、チューブ３の面３ｂと、内側部分２の面２ｃの間の確実な押圧を確保することが可能になる。
【００３７】
腕時計ケースのミドルケース１への、竜頭Ｃの第１実施形態の取り付けおよび方向決定は以下のステップに従って実施される。
【００３８】
第１のステップでは、パッキン４を間置してチューブ３が防水状態でミドルケース１に螺入される。要素５、６および７に結合された竜頭Ｃの内側部分２、ならびに巻き芯１２から成るサブアセンブリーＡはチューブ３に螺合される。この螺合は、腕時計のユーザーが竜頭に対して加えることができる最大トルクに近いトルクでサブアセンブリーＡが螺合されるようになるまで実行される。すると、チューブ３の面３ｂ、ならびに竜頭Ｃの内側部分２の面２ｃは、両者ともチューブ３の長手方向軸に対し直角をなし、力学的剛接触し、再現可能な螺合位置を画定する軸方向制止部を構成する。
【００３９】
第２ステップでは、軸方向移動により、ミドルケース１に既に螺合されているサブアセンブリーＡに竜頭Ｃの外側部分１０が挿入され、所望の角方向に最も近い角方向がマークＳの場所に付与される。この移動の際、内側部分の割り出しセレーションすなわちスプライン２ａおよび外側部分の１０ａは相互に嵌合する。チューブ３の長手方向軸の周囲における外側部分１０のマークＳの角方向決定の精度は、セレーションすなわちスプライン２ａ、１０ａのピッチ次第である。このピッチが小さければ小さいほど、マークＳの角度位置決め精度は向上する。
【００４０】
第３ステップでは、表面２ｂと１０ｂとの間の接触が維持されたままで、外側部分１０が配設されているサブアセンブリーＡの螺合が解除され、最終的にねじ部２ｄがチューブ３のねじ部３ａから分離される。
【００４１】
第４ステップでは、ミドルケース１に対してサブアセンブリーＡおよび竜頭Ｃの外側部分１０の完全な後退が得られるよう、これら２つの要素が一緒に平行移動される。そのためには、内側部分２のセレーション２ａの長さは、サブアセンブリーＡの割り出し手段２ａおよび外側部分１０の割り出し手段１０ａが噛合したままでいるのに足るものでなければならない、というのは竜頭Ｃの２つの部分２および１０はまだ相互に固設されていないからである。
【００４２】
第５ステップでは、ブロッキングリング１１のねじ部１１ａは、スプライン１１ｃまたは１０ｄと噛合するようになる工具を介して、外側部分１０のねじ部１０ｃ内に螺合する。当たり面１１ｂが内側部分２の側壁２ｈの端部２ｅに押圧されている時には、この部材１０および１１のねじ部によりセレーションすなわちスプライン２ａおよび１０ａの噛合を維持することができるようになり、また、外側部分１０に内側部分２を挿入することを可能にした初期遊びを相殺することが可能になる。
【００４３】
上記操作により、サブアセンブリーＡを竜頭Ｃの外側部分１０に固設させ、完全な竜頭Ｃを得ることができた。
【００４４】
したがって、竜頭Ｃ、特にその内側部分２は再度チューブ３に螺合され、識別マークＳは、第２ステップで選択された角度位置に復帰する。チューブ３の長手方向軸に対し直角をなす制止面３ｂおよび２ｃの間に剛接触があるため、螺合された竜頭Ｃの角度位置、したがってマークＳの角度位置の再生産性が保証されるので、この操作は識別マークＳの向きを失うことなく反復することができる。
【００４５】
図５および図６に示す第２実施形態においては、マークＳを支承する外側部分２０は、多角形開口部を有する結合リング１５が端部に固定されたチューブ２０ｈを有する。コイルばね１６は、巻き芯１２に固設された多角形横断面結合要素１７を押圧する。この多角形横断面形状は、それが嵌入されるリング１５の多角形開口部の横断面を相補する横断面である。これらの部材は、いったん巻き芯１２に結合されるとサブアセンブリーＢを形成する。
【００４６】
マークＳを支承するこのサブアセンブリーＢを方向付け可能にするために、内側部分２４のねじ部２４ｄはチューブ２３のねじ部２３ａに螺合される。次に、上記実施形態の場合と同様に、締め付けリング２５により、外側部分２０および内側部分２４が軸方向において相互に固定される。
【００４７】
内側部分２４は、外側面が竜頭Ｃの外側部分２０の内側面に設けられた相補形マイクロセレーションすなわちスプライン２０ａと噛合するマイクロセレーションすなわちスプライン２４ａを具備する円筒形リングの形状を有する。リング２４の内面は、チューブ２３の当たり面２３ｂに接触するようになる軸方向制止面２４ｃを含む。これらの制止面２３ｃ、２４ｃは、チューブ２３の長手方向軸に対し直角をなし、再現可能な竜頭Ｃの螺合限度位置を決めるための制止端の役割を果たし、識別マークＳの角度位置の精度の保証を可能にさせる。
【００４８】
締め付けリング２５はサブアセンブリーＢおよびリング２４を固設するのに用いられるが、これは、竜頭Ｃの外側部分２０の管状スリーブ２０ｈの外側面に設けられたねじ部２０ｃと噛合するその軸方向開口部内に設けられたねじ部２５ａの恩恵によるものであり、その結果、制止面２０ｂおよび２４ｂならびに内側部分２４の軸方向制止面２４ｅを有するリングの当たり面２５ｂは押圧された状態に維持される。
【００４９】
この第２実施形態では、螺入された竜頭Ｃの取り付けおよび方向決定は以下のステップに従って実施される。
【００５０】
第１のステップでは、パッキン４により防水状態でミドルケース１に既に固設されたチューブ２３にリング２４が螺合される。この螺合は、腕時計のユーザーが竜頭Ｃに対して加えることができる最大トルクに近いトルクでリング２４が螺合され当たり面２３ｂが竜頭Ｃの内側部分２４の端部２４ｃと力学的剛接触した時点で停止する。
【００５１】
第２ステップでは、結合要素１５、１６、１７および巻き芯１２に結合された外側部分２０から成るサブアセンブリーＢは、セレーションすなわちスプライン２４ａおよび２０ａを噛合させながら、軸方向においてリング２４に挿入され、角度方向付けされる。サブアセンブリーＢの角方向は、マークＳに付与したいと所望する角方向である。
【００５２】
第３ステップでは、制止面２０ｂおよび２４ｂ間の接触が維持されたままで、サブアセンブリーＢおよびリング２４の螺合が解除され、最終的にねじ部２３ａおよび２４ｄが分離される。
【００５３】
第４ステップでは、ケースの残りの部分に対してサブアセンブリーＢおよびリング２４の完全な後退が得られるよう、これら２つの要素が一緒に移動される。そのためには、リング２４のセレーションすなわちスプライン２４ａの長さは、竜頭Ｃの外側部分２０および内側部分２４が噛合したままの状態を保ちかつこれら両部分のそれぞれの向きがお互いについて保持されるのに足るものでなければならない。というのは、これら両部分は固設されていないからである。
【００５４】
第５ステップでは、巻き芯１２の長手方向軸に沿って締め付けリング２５が挿入される。次にリング２５が管状スリーブ２０ｈのねじ部２０ｃに螺合され、一方の部分のスプライン２０ｄ、および把握手段、ここでは締め付けリング２５の外側面に設けられた多角形横断面２５ｃ（図６）と噛合するようになる工具を介して締め付けられる。
【００５５】
上記操作により、サブアセンブリーＢを竜頭の内側部分２４に固設させ、識別マークＳを持つ完全な竜頭Ｃを得ることができた。
【００５６】
したがってパッキン９は内側部分２４と締め付けリング２５の間に位置決めされる。竜頭Ｃがチューブ２３に再度螺合されると、識別マークＳは、第２ステップで選択された角度位置に復帰するが、当たり面２３ｂと内側部分２４の端部２４ｃの間に剛接点があるので、複数回連続して螺合および螺合解除を行った後でも同様に復帰する。
【図１】
2013525802.tif 000003
【図２】
2013525802.tif 000004
【図３】
2013525802.tif 000005
【図４】
2013525802.tif 000006
【図５】
2013525802.tif 000007
【図６】
2013525802.tif 000008
【国際調査報告】
2013525802.tif 000009
2013525802.tif 000010
2013525802.tif 000011
2013525802.tif 000012